(57)【特許請求の範囲】
【請求項１】
下地面を被覆する下地表面層に引張片を貼着し、該引張片を離反方向に引っ張ることにより下地面と下地表面層の間の接着剤による密着力を判定する方法において、前記引張片又は引張片と下地表面層との間に、密着力の判定基準に見合う力で引っ張ることにより離間する離間部を設け、下地面から下地表面層が剥離する前に前記離間部が離間することで下地表面層の密着力が適正と判定できるようにするに当たり、引張片に、密着力の判定基準に見合う力で引っ張ることにより破断するノッチ、薄肉部分又は幅狭い部分からなる破断部を設け、下地面から下地表面層が剥離する前に前記破断部が破断することで下地表面層の密着力が適正と判定できるようにしたことを特徴とする下地面と下地表面層の密着力判定方法。
【請求項２】
下地面を被覆する下地表面層に引張片を貼着し、該引張片を離反方向に引っ張ることにより下地面と下地表面層の間の接着剤による密着力を判定する方法において、前記引張片又は引張片と下地表面層との間に、密着力の判定基準に見合う力で引っ張ることにより離間する離間部を設け、下地面から下地表面層が剥離する前に前記離間部が離間することで下地表面層の密着力が適正と判定できるようにするに当たり、引張片に、密着力の判定基準に見合う力で引っ張ることにより捲れるように破損する裏面層を設け、下地面から下地表面層が剥離する前に前記裏面層が破損することで下地表面層の密着力が適正と判定できるようにしたことを特徴とする下地面と下地表面層の密着力判定方法。
【請求項３】
下地面を被覆する下地表面層に引張片を貼着し、該引張片を離反方向に引っ張ることにより下地面と下地表面層の間の接着剤による密着力を判定する方法において、前記引張片又は引張片と下地表面層との間に、密着力の判定基準に見合う力で引っ張ることにより離間する離間部を設け、下地面から下地表面層が剥離する前に前記離間部が離間することで下地表面層の密着力が適正と判定できるようにするに当たり、引張片に、密着力の判定基準に見合う力で引っ張ることにより分離する磁着部を設け、下地面から下地表面層が剥離する前に前記磁着部が分離することにより下地表面層の密着力が適正と判定できるようにしたことを特徴とする下地面と下地表面層の密着力判定方法。
【請求項４】
下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより破断するノッチ、薄肉部分又は幅狭い部分からなる破断部を設けたことを特徴とする下地面と下地表面層の密着力判定具。
【請求項５】
下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより捲れるように破損する裏面層を設けたことを特徴とする下地面と下地表面層の密着力判定具。
【請求項６】
下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより分離する磁着部を設けたことを特徴とする下地面と下地表面層の密着力判定具。
【発明の詳細な説明】
【技術分野】
【０００１】
本発明は、下地面と下地表面層の密着力判定方法及び密着力判定具に関し、特に、判定基準を熟知していなくても下地表面層の密着力が適正であるか否かを容易に判断することができる下地面と下地表面層の密着力判定方法及び密着力判定具に関するものである。
【背景技術】
【０００２】
マンション等の床面に床シートを施工する場合、通常はモルタルや金属、木質、樹脂仕上げ等の下地面に下地表面層（防水層、防錆層、防塵層、帯電防止層等の機能層やコンクリート、モルタル等）を形成している。なお、ここで、下地表面層は、上記機能層のほか、コンクリートやモルタルからなる下地の表面にあるコンクリートやモルタルの表皮（表面層）を含む概念である。
床シートは下地表面層上に接着剤等を用いて接着施工するが、下地面と下地表面層の密着が不充分であると、施工後に下地表面層が剥離したり、膨れが生じたりして不具合が生じる。
そこで、床シートを施工する前に、下地面と下地表面層の密着力を事前に判定しておく必要がある。
【０００３】
このような下地面と下地表面層の密着力を判定する従来の方法は、床シートの施工前に、幅約２５ｍｍの床シートの切れ端と接着剤を現場に持参し、床シートを下地表面層に接着する。
そして、１週間程度の養生ののち、再び現場に向かい、接着した床シート周囲の下地表面層をカッター等で切れ目を入れる。持参したばね計りを床シートに引っ掛けて引っ張り、剥離（剥離面は下地面と下地表面層間、又は下地表面層と床シート間）したときの引張力を測定し、規定以上の密着力（例えば、２０Ｎ／２５ｍｍ）があるか否かを判定する。
なお、下地表面層が剥離した部位については同材質の下地表面層で補修する。
【０００４】
しかしながら、上記従来の密着力判定方法においては、ばね計りで密着力の測定と数値化はできるが、判定基準を熟知していなければ密着力の可否の判断が即座にできないという問題を有している。
【発明の開示】
【発明が解決しようとする課題】
【０００５】
本発明は、上記従来の下地面と下地表面層の密着力判定方法及び密着力判定具が有する問題点に鑑み、判定基準を熟知していなくても下地表面層の密着力が適正であるか否かを容易に判断することができる下地面と下地表面層の密着力判定方法及び密着力判定具を提供することを目的とする。
【課題を解決するための手段】
【０００６】
上記目的を達成するため、本発明の下地面と下地表面層の密着力判定方法は、下地面を被覆する下地表面層に引張片を貼着し、該引張片を離反方向に引っ張ることにより下地面と下地表面層の間の接着剤による密着力を判定する方法において、前記引張片又は引張片と下地表面層との間に、密着力の判定基準に見合う力で引っ張ることにより離間する離間部を設け、下地面から下地表面層が剥離する前に前記離間部が離間することで下地表面層の密着力が良好と判定できるようにしたことを特徴とする。
【０００７】
そして、より具体的には、引張片に、密着力の判定基準に見合う力で引っ張ることにより破断するノッチ、薄肉部分又は幅狭い部分からなる破断部を設け、下地面から下地表面層が剥離する前に前記破断部が破断することで下地表面層の密着力が良好と判定できるようにすることができる。
【０００８】
また、引張片に、密着力の判定基準に見合う力で引っ張ることにより捲れるように破損する裏面層を設け、下地面から下地表面層が剥離する前に前記裏面層が破損することで下地表面層の密着力が良好と判定できるようにすることができる。
【０００９】
また、引張片に、密着力の判定基準に見合う力で引っ張ることにより分離する磁着部を設け、下地面から下地表面層が剥離する前に前記磁着部が分離することにより下地表面層の密着力が良好と判定できるようにすることができる。
【００１０】
また、本発明の下地面と下地表面層の密着力判定方法を実施するために用いられる本発明の下地面と下地表面層の密着力判定具は、下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより破断するノッチ、薄肉部分又は幅狭い部分からなる破断部を設けたことを特徴とする。
【００１１】
また、同様に、本発明の下地面と下地表面層の密着力判定具は、下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより捲れるように破損する裏面層を設けたことを特徴とする。
【００１２】
また、同様に、本発明の下地面と下地表面層の密着力判定具は、下地面を被覆する下地表面層に引張片を貼着し、該引張片を離反方向に引っ張ることにより下地面と下地表面層の間の接着剤による密着力を判定する下地面と下地表面層の密着力判定具において、前記引張片に、密着力の判定基準に見合う力で引っ張ることにより分離する磁着部を設けたことを特徴とする。
【発明の効果】
【００１３】
本発明の下地面と下地表面層の密着力判定方法及び密着力判定具によれば、下地面を被覆する下地表面層に引張片を貼着し、該引張片を離反方向に引っ張ることにより下地面と下地表面層の間の接着剤による密着力を判定するに際し、下地面から下地表面層が剥離する前に離間部が離間することで下地表面層の密着力が良好と判定できるようにしたことから、判定基準を熟知していなくても下地表面層の密着力が適正であるか否かを容易に判断することができる。
【発明を実施するための最良の形態】
【００１４】
以下、本発明の下地面と下地表面層の密着力判定方法及び密着力判定具の実施の形態を、図面に基づいて説明する。
【実施例１】
【００１５】
図１に、本発明の下地面と下地表面層の密着力判定方法及び密着力判定具の第１実施例を示す。
この下地面と下地表面層の密着力判定方法及び密着力判定具は、下地面１を被覆する下地表面層２に引張片３を貼着し、該引張片３を離反方向に引っ張ることにより下地面１と下地表面層２の間の密着力を判定するものであり、前記引張片３に、密着力の判定基準に見合う力で引っ張ることにより破断する破断部４を設け、下地面１から下地表面層２が剥離する前に引張片３が破断することで下地表面層２と下地面の密着力が適正と判定できるようにしている。
逆に、引張片３が破断する前に下地表面層が下地面から剥離した場合（つまり、密着力の判定基準に見合う力より小さい力で引っ張って剥離した場合）は、下地表面層２と下地面の密着力が弱く、床シートの施工に適さないと判断できる。
【００１６】
具体的には、下地面１に接着された下地表面層２に、例えば、幅が２５ｍｍの引張片３を引き代３１を残して接着剤７により接着する。
引張片３は、例えば、樹脂製のシートからなり（施工に用いる床シートの裏面と同質のものが好ましい）、引き代３１の一部にノッチや薄肉部分、又は幅狭い部分からなる破断部４が形成されていて、引き代３１を上方に引っ張ったときに規定の強度（例えば、２０Ｎ）で破断するようになっている。これは下地面１と下地表面層２の間で９０°剥離評価を行ったことと同じことになる。
なお、引張片３を引っ張る前に、下地表面層２には、接着した引張片３の周囲にカッター等で切り込み５を入れておく。これにより、下地面と下地表面層の密着力を適正に判定することができる。
【実施例２】
【００１７】
図２に、本発明の下地面と下地表面層の密着力判定方法及び密着力判定具の第２実施例を示す。
この下地面と下地表面層の密着力判定方法及び密着力判定具は、下地面１を被覆する下地表面層２に引張片３を貼着し、該引張片３を離反方向に引っ張ることにより下地面１と下地表面層２の間の密着力を判定するものであり、前記引張片３に、密着力の判定基準に見合う力で引っ張ることにより破損する裏面層６を設け、下地面１から下地表面層２が剥離する前に裏面層６が破損することで下地表面層２と下地面の密着力が適正と判定できるようにしている。
【００１８】
具体的には、下地面１に接着された下地表面層２に、例えば、幅が２５ｍｍの引張片３を引き代３１を残して接着剤７により接着する。
引張片３は、例えば、樹脂製のシートからなり（施工に用いる床シートの裏面と同質のものが好ましい）、引き代３１を上方に引っ張ったときに規定の強度（例えば、２０Ｎ）で裏面層６が破損して捲れるようになっている。
なお、実施例１と同様に、下地表面層２には、接着した引張片３の周囲にカッター等で切り込み５を入れる。
【００１９】
図３に、下地面と下地表面層の密着力判定方法及び密着力判定具の第１参考例を示す。
この下地面と下地表面層の密着力判定方法及び密着力判定具は、下地面１を被覆する下地表面層２に引張片３を貼着し、該引張片３を離反方向に引っ張ることにより下地面１と下地表面層２の間の密着力を判定するものであり、前記引張片３を、密着力の判定基準に見合う力で引っ張ることにより剥離する接着剤７により貼着し、下地面１から下地表面層２が剥離する前に引張片３が剥離することで下地表面層２と下地面の密着力が適正と判定できるようにしている。
【００２０】
具体的には、下地面１に接着された下地表面層２に、例えば、１０ｍｍ四方の金属板からなる引張片３を接着剤７により接着する。
引張片３は、中心部に棒状の引き片３２が設けられており、この引き片３２を上方に引っ張ったときに規定の強度（例えば、８０Ｎ）で接着剤７と引張片３又は下地表面層２との界面が剥離する。
接着剤７は、櫛目状や波目状等の接着剤７の塗布形態によっても、剥離に対する強度を調節することができる。
なお、この参考例でも、下地表面層２には、接着した引張片３の周囲にカッター等で切り込み５が入れられている。
【００２１】
同様に、図３に、下地面と下地表面層の密着力判定方法及び密着力判定具の第２参考例を示す。
この下地面と下地表面層の密着力判定方法及び密着力判定具は、下地面１を被覆する下地表面層２に引張片３を貼着し、該引張片３を離反方向に引っ張ることにより下地面１と下地表面層２の間の密着力を判定するものであり、前記引張片３を、密着力の判定基準に見合う力で引っ張ることにより破損する接着剤７により貼着し、下地面１から下地表面層２が剥離する前に接着剤７が破損することで下地表面層２と下地面の密着力が適正と判定できるようにしている。
【００２２】
具体的には、下地面１に接着された下地表面層２に、例えば、１０ｍｍ四方の金属板からなる引張片３を接着剤７により接着する。
引張片３は、中心部に棒状の引き片３２が設けられており、この引き片３２を上方に引っ張ったときに規定の強度（例えば、８０Ｎ）で接着剤７が凝集破壊する。
接着剤７は、櫛目状や波目状等の接着剤７の塗布形態によっても、凝集破壊に対する強度を調節することができる。
なお、この参考例でも、下地表面層２には、接着した引張片３の周囲にカッター等で切り込み５が入れられている。
【実施例３】
【００２３】
図４〜図５に、本発明の下地面と下地表面層の密着力判定方法及び密着力判定具の第３実施例を示す。
この下地面と下地表面層の密着力判定方法及び密着力判定具は、下地面１を被覆する下地表面層２に引張片３を貼着し、該引張片３を離反方向に引っ張ることにより下地面１と下地表面層２の間の密着力を判定するものであり、前記引張片３に、密着力の判定基準に見合う力で引っ張ることにより分離する磁着部８を設け、下地面１から下地表面層２が剥離する前に磁着部８が分離することで下地表面層２と下地面の密着力が適正と判定できるようにしている。
【００２４】
具体的には、図４に示すように、下地面１に接着された下地表面層２に、例えば、幅が２５ｍｍの引張片３を引き代３１を残して接着剤７により接着する。
引張片３は、例えば、引張片３の引き代３１に金属板８１を固定するとともに、該金属板８１に磁着する磁石８２を固定した引き片３２を設け、引き片３２を上方に引っ張ったときに規定の強度（例えば、２０Ｎ）で磁石８２が金属板８１から分離（脱落）するようにする。
磁着部８は、特定の磁着強度（ずり剪断による脱落強度又は引張強度）を持つ磁石同士又は磁石と金属板で構成することができる。なお、図４は、ずり剪断による脱落強度を利用した場合の例示であるが、引張強度を利用する場合は磁石同士又は磁石と金属板の上端面と下端面を磁着させればよい。
なお、この実施例でも、下地表面層２には、接着した引張片３の周囲にカッター等で切り込み５が入れられている。
【００２５】
この場合、図５に示すように、金属板８１を接着剤７により下地面１に固定しておき、中心部に棒状の引き片３２を設けた磁石８２と金属板８１をこの下地面１側の金属板８１に磁着させることにより、磁着部８を形成することもできる。
なお、この実施例でも、下地表面層２には、接着した金属板８１の周囲にカッター等で切り込み５が入れられている。
【００２６】
かくして、本第１〜第３実施例の下地面と下地表面層の密着力判定方法及び密着力判定具によれば、下地面１を被覆する下地表面層２に引張片３を貼着し、該引張片３を離反方向に引っ張ることにより下地面１と下地表面層２の間の密着力を判定するに際し、前記引張片３又はその接着剤７を、密着力の判定基準に見合う力で破断、破損、剥離又は分離することで下地表面層２と下地面の密着力が適正と判定できるようにしていることから、判定基準を熟知していなくても下地表面層２と下地面の密着力が適正であるか否かを容易に判断することができる。
【００２７】
以上、本発明の下地面と下地表面層の密着力判定方法及び密着力判定具について、その実施例に基づいて説明したが、本発明は上記実施例に記載した構成に限定されるものではなく、その趣旨を逸脱しない範囲において適宜その構成を変更することができる。
【産業上の利用可能性】
【００２８】
本発明の下地面と下地表面層の密着力判定方法及び密着力判定具は、判定基準を熟知していなくても下地表面層の密着力が適正であるか否かを容易に判断できるという特性を有していることから、マンション等の下地面と下地表面層の密着力判定の用途に広く好適に用いることができる。
【図面の簡単な説明】
【００２９】
【図１】本発明の下地面と下地表面層の密着力判定方法及び密着力判定具の第１実施例を示す斜視図である。
【図２】同第２実施例を示す斜視図である。
【図３】下地面と下地表面層の密着力判定方法の第１参考例及び第２参考例を示す斜視図である。
【図４】同第３実施例を示す斜視図である。
【図５】第３実施例の変形例を示す斜視図である。
【符号の説明】
【００３０】
１    下地面
２    下地表面層
３    引張片
３１  引き代
３２  引き片
４    破断部
５    切り込み
６    裏面層
７    接着剤
８    磁着部
８１  金属板
８２  磁石
【図１】
0004959478.tif 000002
【図２】
0004959478.tif 000003
【図３】
0004959478.tif 000004
【図４】
0004959478.tif 000005
【図５】
0004959478.tif 000006